(57)【要約】【課題】無線伝送機能付きディスプレイ装置およびその無線伝送方法を提供する。【解決手段】無線で、信号を電子装置の第一無線伝送モジュールへ伝送するように設けられているディスプレイ装置は、スクリーン、タッチモジュールと第二無線伝送モジュールを備えてなり、タッチモジュールはスクリーンに設けられ、第二無線伝送モジュールはスクリーンに設けられ、タッチモジュールに接続しており、それにより、タッチモジュールからのタッチ信号を受信して、無線で、信号を電子装置へ伝送するように設けられている。【選択図】図１
2014006752.tif 000002
【特許請求の範囲】
【請求項１】
無線で、信号を電子装置の第一無線伝送モジュールへ伝送するように設けられている該ディスプレイ装置は、スクリーン、
該スクリーンに設けられているタッチモジュール、及び
該スクリーンに設けられ、該タッチモジュールに接続している第二無線伝送モジュールが備わり、それにより、該タッチモジュールからのタッチ信号を受信して、無線で、信号を該電子装置へ伝送するように設けられていることを特徴とする無線伝送機能付きディスプレイ装置。
【請求項２】
該スクリーンは、光通過性材料で作られた基材が設けられていることを特徴とする請求項１に記載の無線伝送機能付きディスプレイ装置。
【請求項３】
該電子装置の該第一無線伝送モジュールは、発信側が設けられていることを特徴とする請求項１に記載の無線伝送機能付きディスプレイ装置。
【請求項４】
該ディスプレイ装置の該第二無線伝送モジュールは、受信側が設けられており、無線信号は、該発信側から該受信側へ伝送されるように設けられていることを特徴とする請求項３に記載の無線伝送機能付きディスプレイ装置。
【請求項５】
更に、該第二無線伝送モジュールと該タッチモジュールに接続するための信号制御盤が設けられていることを特徴とする請求項１に記載の無線伝送機能付きディスプレイ装置。
【請求項６】
スクリーンの映像信号をタッチ、それと同時に、対応点のタッチ信号を発信して、無線伝送モジュールを経て、該タッチ信号を電子装置へ伝送するという手順が設けられていることを特徴とするディスプレイ装置の無線伝送方法。
【発明の詳細な説明】
【技術分野】
【０００１】
本発明は、スクリーンに関わり、特に無線伝送信号及びタッチ機能を有するディスプレイ装置およびその無線伝送方法に関する。  
【背景技術】
【０００２】
科学の急速な発展で、様々な新しい技術が生まれているなか、人々の日常生活の物事や仕事がよりスピーデで効率よく行われ、高品質生活ができるようになった。タッチ式スクリーンの機能は一般的に、ディスプレイだけに設けられていており、特定な装置に限られているが、例えば、卓上型スクリーン、またはポータブル製品向けのスクリーン。
【０００３】
科学が発達している時代に、人々が電子製品利用の利便性を非常に頼りにしており、そこで、至るところに無線電子信号が存在し、人々の種々の活動に必要とされる働きを果たしているが、例えば、３ＧＰＰの長期的エボリューション（ＬＴＥ）、ＷｉＭＡＸ、ＷｉＦｉや３ＧＰＰ２のウルトラ・モバイル・ブロードバンド（ＵＭＢ）などがあり、それらの技術は、携帯電話やゲーム機などの装置を利用して、たくさん便利な機能を提供しています。ところが、それらは、無線電子信号による伝送や受信を頼りにしているものだが、そこで、一般的に普及されている窓のガラスに、無線信号の伝送やタッチ機能を持たせ、住宅やオフィスのような環境にある窓を、単なる窓を超えた機能以上の用途に使用するのが、関連業者が努力すべき余地である。
【０００４】
それを鑑みて、本案の発明者は積極的に、その解決策を発明し、無線伝送やタッチスクリーンに携わる長年の専門知識や経験を生かし、実験や試作、改良を重ね、上述した不十分な点を改善するよう取り組み、本発明の“無線伝送機能付きディスプレイ装置”を設計開発することにより、業界で広く使用され、産業上の競争力や付加価値への向上にもつながる。
【発明の開示】
【発明が解決しようとする課題】
【０００５】
それゆえ、本発明は、無線伝送機能付きディスプレイ装置およびその無線伝送方法を提供することを目的とする。
【課題を解決するための手段】
【０００６】
無線で信号を電子装置の第一無線伝送モジュールへ伝送するように設けられているディスプレイ装置は、スクリーン、タッチモジュールと第二無線伝送モジュールを備えてなり、タッチモジュールはスクリーンに設けられ、第二無線伝送モジュールはスクリーンに設けられ、タッチモジュールに接続し、タッチモジュールからのタッチ信号を受信して、無線伝送信号を電子装置へ伝送するように設けられている。
【０００７】
本発明のディスプレイ装置は、スクリーン、タッチモジュール、第二無線伝送モジュールと信号制御盤をモジュール化、統合して、タッチ機能や無線受信・送信機能を持っており、使用のとき、電子装置を搭載して、より便利に利用できるようになるが、直接に住宅やオフィスの窓やガラス扉、またはソフト板などに使用し、パワーポイント操作の使用、ネットへの接続、フィルム観賞、ゲーム遊びなどのような画面表示機能として利用できるが、ただし、上述した類型は、例として挙げられたものだけであり、本発明は、それらには限らない。  
【０００８】
上述した説明は、本発明の特徴の一部分に関する概説のみであり、本明細書を読む専門者たちに、本発明の技術手段をより理解させるため、次のように図面を合わせて、具体的な実施例を挙げ、詳しく説明され、本説明書の内容に基づき実施されているが、それにより、本発明の種々の機能、特徴について、更なる理解、認識が可能になると思われる。
【図面の簡単な説明】
【０００９】
【図１】本発明のブロック図
【図２】本発明の立体イメージ
【図３】本発明の使用イメージ
【図４】本発明のフローチャートイメージ
【発明を実施するための形態】
【００１０】
上述した本発明の目的や長所などは、次のように挙げられた実施例に関する詳しい内容と図面を見て、より理解できると思われるが、もちろん、本明細書に関して、図面を合わせて、その構造を見せると同時に、以下のように実施例を挙げて詳しく説明するが、本発明の実施は、本説明書に記述されている内容が含まれているが、それには限らない。
【００１１】
図１に示すのは、本発明の好適な実施例であり、説明のみに用いられるもので、特許請求の際、その構造に制限されないものをここで説明しておく。
【００１２】
本発明の無線伝送機能付きディスプレイ装置１は、無線で、電子装置２から発信された信号を受信するものであり、電子装置２は、卓上型ホストコンピューター、ノートパソコン、タプレットパソコン、スピーカー（例えばＤＶＰ）など、またはその他の３Ｃ製品が可能であり、無線の場合を例として、電子装置２の第一無線伝送モジュール２１は、発信側ＴＸ２１１を備えてなり、ディスプレイ装置１は、スクリーン１１、タッチモジュール１２と第二無線伝送モジュール１３と信号制御盤１４を備えてなるものである。
【００１３】
図２と図３に示すように、本発明のスクリーン１１は、一般的な住宅やオフィスのガラスに使用できるものだが、それに限らないが、使用のとき、更に、ソフト板、ホワイトボードや黒板にすべて適用するが、それに限らないが、壁に付属している基礎物件はすべて、本発明のスクリーン１１として使用できるが、それに、主アクティブマトリクス式有機ＥＬディスプレイ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ、略称ＡＭＯＬＥＤ）技術を利用して、本発明のスクリーン１１は、透明な窓、透明なガラス扉などのような透明材料で設けられてもよいが、窓の実施例は、建物の壁に設けられる場合であるが、使用の時、車両の窓ガラスに設けられてもよい。
【００１４】
スクリーン１１に設けられているタッチモジュール１２は、多くの特定で詳しい手順が行われるところであり、例えば、特別な手順、プログラム設計、組立ユニットなどが挙げられるが、それにより、本発明の具体的な実施例を徹底的に理解することができるが、しかし、この分野が分かる者は、一つまたは複数の特定な詳しい手順がなくても、本発明のタッチモジュール１２を実施し、または他の方法や部品などを合わせて行うことが可能であり、本発明の具体的実施例の考えを明確に説明するため、その他の実施例では、周知されている構造や操作について掲載、詳しく説明されないが、本発明のタッチモジュール１２は、スクリーン１１の上に、光学センサーユニットを設けてもよいが、物体はそのセンサー範囲を通ると、その位置が検知され、ダイナミックに追跡されるが、それは、コンデンサー型、抵抗型、赤外線光学型または音波型センサーによるタッチ式でもよい。
【００１５】
スクリーン１１に設けられ、タッチモジュール１２と信号制御盤１４に接続している第二無線伝送モジュール１３が備わり、第二無線伝送モジュール１３と信号制御盤１４は、スクリーン１１のどこかの縁側、または窓枠に設けられてもよいが、それにより、タッチモジュール１２のタッチ信号を受信して、無線で、信号を電子装置２へ伝送するように設けられているが、該ディスプレイ装置１の第二無線伝送モジュール１３は、受信側ＲＸ１３１が設けられており、無線信号は、発信側ＴＸ２１１から、受信側ＲＸ１３１へ伝送されるように設けられている。
【００１６】
本発明のスクリーン１１は、窓を例とする場合、受光性、光通過性などの效果があり、該基材１１１は、ガラス材に限らず、他の代替な材料でも、例えば、アクリルや強化プラスチックなどのような光通過性のプラスチック材でも利用可能で、同じく本発明の効果を達成することができる。
【００１７】
本発明のスクリーン１１は使用の時、映像が表示され、無線で、電子装置２の信号を受信、発信し、電子装置２の映像信号を即時に、スクリーン１１に表示することができる。
【００１８】
図４に示すように、本発明のディスプレイ装置の無線伝送方法について説明するが、ノートパソコンを例として、その動作の流れは手順も含まれて行われる。
【００１９】
手順１１０：  信号元である電子装置２の第一無線伝送モジュール２１の発信側ＴＸ２１１は映像信号を伝送する。
【００２０】
手順１２０：  ディスプレイ装置１の第二無線伝送モジュール１３の受信側ＲＸ１３１は、発信側ＴＸ２１１から伝送されてきた映像信号を受信する。
【００２１】
手順１３０：  映像信号は同時に、信号制御盤１４へ伝送される。
【００２２】
手順１４０：  スクリーン１１のタッチモジュール１２は、タッチ信号を受信する。
【００２３】
手順１５０：  対応点のタッチ信号を発信側ＴＸ２１１へ伝送する。
【００２４】
手順１６０：  発信側ＴＸ２１１は、タッチ信号を受信側ＲＸ１３１へ二重伝送する。
【００２５】
手順１７０：  遠隔で、電子装置２の映像信号をタッチ制御し、それと同時に、スクリーン１１に映像を表示させる。
【００２６】
上述したスクリーン１１の上には、複数の電子・電気回路ユニット（例えば、制御チップ、プロセッサーなど）が設けられており、第二無線伝送モジュール１３は、ワイヤレスホームデジタルインタフェース（Ｗｉｒｅｌｅｓｓ  Ｈｏｍｅ  Ｄｉｇｉｔａｌ  Ｉｎｔｅｒｆａｃｅ、ＷＨＤＩ）の技術を搭載、無線高画質映像処理接続規格を有するもので、このような高画質で無圧縮の無線接続規格は、５ＧＨｚ帯の無免許で利用可能であり、４０ＭＨｚ帯で最高で３Ｇｂｐｓ（１０８０ｐ／６０Ｈｚを含み）で伝送可能な映像データであり、世界の５ＧＨｚ帯規格に適合し、伝送可能範囲は１００フィート以上、壁を通ることが可能で、遅延時間は１ミリ秒以内であり、第二無線伝送モジュール１３は無線で、信号を電子装置２の第一無線伝送モジュール２１へ伝送するように設けられており、特筆すべきことは、本発明ディスプレイ装置１の第二無線伝送モジュール１３（ＷＨＤＩ）は、受信側ＲＸ１３１、電子装置２の第一無線伝送モジュール２１は発信側ＴＸ２１１が設けられており、すなわち、信号は無線で、発信側ＴＸ２１１から受信側ＲＸ１３１へ送られることになっている。
【００２７】
本発明のディスプレイ装置は、スクリーン、タッチモジュール、第二無線伝送モジュールと信号制御盤をモジュール化、統合して、タッチ機能や無線受信・送信機能を持っており、使用のとき、電子装置を搭載し、より便利に利用できるようになり、直接に住宅やオフィスの窓やガラス扉、またはソフト板などに使用し、パワーポイント操作の使用、ネットへの接続、フィルム観賞、ゲーム遊びなどのような画面表示機能として利用できる。
【００２８】
上述した内容をまとめると、本発明は実は、なかなか珍しい製品であり、同一カテゴリーの製品で、それに類似した発明や発表もなく、特許請求用件に一致することで、法令の規定により書類を提出、出願することになるが、ただし、上述したのは、本発明の好適な実施可能な実施例のみであり、本発明の明細書や図面を利用して、それと同等な効果を得た構造変化もすべて、本発明の請求範囲に含まれることをここで説明しておく。
【符号の説明】
【００２９】
１．  ディスプレイ装置  
２．  電子装置
１１．  スクリーン
１２．  タッチモジュール
１３．  第二無線伝送モジュール
１４．  信号制御盤
２１．  第一無線伝送モジュール
１１１．  基材
１３１．  受信側ＲＸ
２１１．  発信側ＴＸ
【図１】
2014006752.tif 000003
【図２】
2014006752.tif 000004
【図３】
2014006752.tif 000005
【図４】
2014006752.tif 000006